(57)【特許請求の範囲】
【請求項１】
車両駆動用の交流モータと、
前記交流モータへ供給する電力を蓄電した蓄電装置と、
複数のスイッチング素子を有し、前記蓄電装置からの直流電流を交流電流に変換して前記交流モータへ供給するための変換器と、
前記変換器と交流モータとの間に接続され、被加熱部材を誘導加熱するための誘導加熱用コイルと、
を備え、
前記誘導加熱用コイルが、前記複数のスイッチング素子のうち前記変換器から前記交流モータへ通電する際に同時にＯＮされないスイッチング素子同士を接続する第１の結線上に接続されている、
ことを特徴とする車両用誘導加熱装置。
【請求項２】
請求項１において、
前記複数のスイッチング素子のうち前記変換器から前記交流モータへ通電する際に同時にＯＮされるスイッチング素子同士を接続する第２の結線上にも、前記誘導加熱用コイルが接続されている、ことを特徴とする車両用誘導加熱装置。
【請求項３】
請求項２において、
前記被加熱部材の昇温要求が大きい状態のときに、前記第１の結線および第２の結線の両方から前記誘導加熱用コイルに対して通電を行うように設定されている、ことを特徴とする車両用誘導加熱装置。
【請求項４】
請求項１ないし請求項３のいずれか１項において、
前記誘導加熱用コイルへの通電を遮断するスイッチ手段を有している、ことを特徴とする車両用誘導加熱装置。
【発明の詳細な説明】
【技術分野】
【０００１】
本発明は、車両用誘導加熱装置に関するものである。
【背景技術】
【０００２】
車両、例えば自動車においては、被加熱部材を加熱（加温）する要求が多々ある。例えば、空調用ヒータコアで空調用エアを加熱することや、エンジンを有するものにあっては、排気ガス浄化触媒を加熱してその早期活性化を行う等のことが要求される。特許文献１には、車室の暖房のために、空調用ヒータコアの直下流において、空調用エアを加熱するための直流抵抗（発熱素子）を配設したものが開示されている。
【０００３】
一方、モータによって車両を駆動するようにしたものがあり、この車両駆動用モータとして、効率等の観点から交流モータを用いることも行われている。そして、車両の駆動を交流モータで行う場合には、蓄電装置からの直流電流を交流電流に変換して交流モータへ供給するための変換器（通常はインバータ）が設けられることになる。
【特許文献１】特開２００６−１５１１９９号公報
【発明の開示】
【発明が解決しようとする課題】
【０００４】
前述した直流抵抗を用いたヒータ（発熱素子）は、効率が極めて悪いものとなる。このため、誘導加熱を利用して加熱することが考えられるが、この場合は、直流電流を交流電流に変換する変換器が別途必要になり、コストアップや部品点数増加という問題を生じることになる。
【０００５】
本発明は以上のような事情を勘案してなされたもので、その目的は、誘導加熱用の変換器を別途専用に設けることなく誘導加熱を行えるようにした車両用誘導加熱装置を提供することにある。
【課題を解決するための手段】
【０００６】
前記目的を達成するため、本発明にあっては次のような解決手法を採択してある。すなわち、特許請求の範囲における請求項１に記載のように、
車両駆動用の交流モータと、
前記交流モータへ供給する電力を蓄電した蓄電装置と、
複数のスイッチング素子を有し、前記蓄電装置からの直流電流を交流電流に変換して前記交流モータへ供給するための変換器と、
前記変換器と交流モータとの間に接続され、被加熱部材を誘導加熱するための誘導加熱用コイルと、
を備え、
前記誘導加熱用コイルが、前記複数のスイッチング素子のうち前記変換器から前記交流モータへ通電する際に同時にＯＮされないスイッチング素子同士を接続する第１の結線上に接続されている、
ようにしてある。
【０００７】
上記解決手法によれば、蓄電装置と交流モータとの間に介在される変換器を、誘導加熱用の変換器として有効に利用することができ、誘導加熱用の変換器を別途専用に設けることが不要になる。勿論、誘導加熱であることから、効率のよいものとなり、しかも被加熱部材を全体的に加熱する上でも好ましいものとなる。以上に加えて、車両の停止時に、交流モータが回転駆動されないように交流モータへの通電を停止したときでも、誘導加熱を行うことができる。
【０００８】
上記解決手法を前提とした好ましい態様は、特許請求の範囲における請求項２以下に記載のとおりである。すなわち、
前記複数のスイッチング素子のうち前記変換器から前記交流モータへ通電する際に同時にＯＮされるスイッチング素子同士を接続する第２の結線上にも、前記誘導加熱用コイルが接続されている、ようにしてある（請求項２対応）。この場合、回転駆動のための交流モータへの通電を利用して、誘導加熱を行うことができる。特に、車両の走行時に、通電される誘導加熱コイルの数を使い分けて加熱調整する等の上で好ましいものとなる。
【０００９】
前記被加熱部材の昇温要求が大きい状態のときに、前記第１の結線および第２の結線の両方から前記誘導加熱用コイルに対して通電を行うように設定されている、ようにしてある（請求項３対応）。この場合、昇温要求が大きいときに、誘導加熱のために通電される誘導加熱用コイルの数を増大させて、被加熱部材を十分に加熱することができる。
【００１０】
前記誘導加熱用コイルへの通電を遮断するスイッチ手段を有している、ようにしてある（請求項４対応）。この場合、誘導加熱を必要としないときには誘導加熱用コイルへの通電を遮断して、電力消費を低減する上で好ましいものとなる。
【発明の効果】
【００１１】
本発明によれば、誘導加熱用の変換器を別途専用に設けることなく誘導加熱を行なうことができる。また、車両の停止時に、交流モータが回転駆動されないように交流モータへの通電を停止したときでも、誘導加熱を行うことができる。
【発明を実施するための最良の形態】
【００１２】
図１において、車両としての自動車ＶＣは、交流モータ１を有する。この交流モータ１によって、デファレンシャルギア２を介して左右の前輪３ＦＲ、３ＦＬが駆動される。なお、左右の後輪３ＲＲ、３ＲＬは従動輪とされている。
【００１３】
１０は蓄電装置としての高電圧バッテリであり、この高電圧バッテリ１０からの直流電流が、変換器としてのインバータからなるＤＣ−ＡＣコンバータ１１によって交流電流に変換されて、この変換された交流電流が交流モータ１へ供給される。また、１２はエンジン、１３はエンジン１２によって駆動される交流発電機である。発電機１３によって発電された電力は、インバータからなるＡＣ−ＤＣコンバータ１４を介して高電圧バッテリ１０へ供給される一方、前記ＤＣ−ＡＣコンバータ１１を介して交流モータ１へも供給されるようになっている。なお、ＤＣ−ＡＣコンバータ１１と交流モータ１とに関連させて、誘導加熱される対象となる被加熱部材としてのヒータコアＨＣが設けられるが、この点については後述する。
【００１４】
交流モータ１への電力（交流電流）供給は、例えば、発電機１３からのみ行われる態様と、高電圧バッテリ１０からのみ行われる態様と、高電圧バッテリ１０および発電機１３の両方から行われる態様とが、自動車ＶＣの運転状態や高電圧バッテリ１０への蓄電状態等に応じて変更される。また、エンジン１２は、実施形態では燃料としてのガソリンを用いるようになっており、燃料タンク１５にはガソリンを貯溜するようになっている。そして、エンジン１２は、レシプロエンジンとされている。
【００１５】
図２は、自動車ＶＣに装備された空調用システムを示す。この図２において、２０は空調ダクトであり、その一端部側には、外気導入用の取入口２１と内気導入用の取入口２２が形成されている。そして、切換モータ２３によって駆動される切換ダンパ２４によって、取入口２１と取入口２２との任意の一方のみが開口された状態が選択されるようになっている。空調用ダクト２０の他端部側には、３つの空調エア吹出口２５〜２７が形成されている。吹出口２５は、デフロスタ用であり、吹出口２６は前席乗員の顔付近へ空調エアを吹き出すものであり、吹出口２７は乗員の足下へ空調エアを吹き出すものである。
【００１６】
空調ダクト２０内には、前記取入口２１，２２と吹出口２５〜２７との間において、エバポレータ２８と、エバポレータ２８の下流側において前記ヒータコアＨＣが配設されている。また、空調ダクト２０内には、各取入口２１，２２とエバポレータ２８との間において、空調ファン２９が配設され、またエバポレータ２８とヒータコアＨＣとの間においてエアミックスダンパ３０が配設されている。エアミックスダンパ３０は、エバポレータ２８で冷却されたエアが、ヒータコアＨＣを通過する割合とバイパスする割合とを変更するものとなっており、駆動モータ３１によってその位置が無段階あるいは段階的に変更される。
【００１７】
ヒータコアＨＣを通過した空調エアは主として吹出口２５，２６側へと流れ、ヒータコアＨＣをバイパスした空調エアは主として吹出口２７側へと流れるように、ヒータコアＨＣとエアミックスダンパ３０と各吹出口２５〜２７の位置が設定されている。また、吹出口２５は、切換ダンパ３２によって開閉され、吹出口２６は切換ダンパ３３によって開閉され、吹出口２７は、切換ダンパ３４によって開閉される。そして、各切換ダンパ３２〜３４は、駆動モータ３５によって同調制御されて、自動空調が乗員によって選択されたときは、各切換ダンパ３２〜３４の開閉が自動調整されるようになっている。
【００１８】
図２中、ＣＵは、マイクロコンピュータを利用して構成されたコントローラ（制御ユニット）である。このコントローラＣＵによって、空調ファン（用の駆動モータ）２９を駆動制御することによる空調エアの量、モータ３１を駆動制御することによるエアミックスダンパ３０の切換位置の変更、モータ２３，３５による各切換ダンパ２４，３２〜３４の開閉が変更制御される。この制御のために、各種センサあるいはスイッチＳ１〜Ｓ８からの信号が入力される。センサＳ１は、エバポレータ２８を通過した直後のエア温度を検出する温度センサである。センサＳ２は、駆動モータ３１の駆動位置つまりエアミックスダンパ３０の位置を検出するセンサ（ポテンショメータ）である。センサＳ３は、内気（室内）温度を検出する温度センサである。センサＳ４は、外気の温度を検出する温度センサである。センサＳ５は、エンジン１２の冷却水温度を検出する温度センサである。センサＳ６は、室内に照射される日射量を検出する日射センサである。スイッチＳ７は、乗員によってマニュアル操作される室内温度の設定スイッチである。スイッチＳ８は、エンジン１２の始動を行うためのイグニッションスイッチである（ＯＮ／ＯＦＦの作動状態の検出）。コントローラＣＵは、上記各センサあるいはスイッチＳ１〜Ｓ８からの入力信号に基づいて、前述したように、空調エア量や、各ダンパ２４，３０，３２〜３４の制御を行う。
【００１９】
前述したヒータコアＨＣが、図３に示される。ヒータコアＨＣのケーシング４０内には、エンジン１２の冷却水が流れる冷却水通路が配設されて、この冷却水通路に多数の電熱フィンが設けられている。つまり、ケーシング４０内を通過する空調エアを冷却水の有する高温を利用して加温するようになっている。また、ケーシング４０の外周には、後述する誘導加熱用コイルＣが巻回されている。ケーシング４０は、導電部材（例えばステンレス等の金属で、電気抵抗が大きい大きい部材で構成することが好ましい）で形成されて、誘導加熱用コイルＣに交流電流を流すことによって、誘導加熱によってケーシング４０が加熱されることになる。つまり、ケーシング４０内を通過する空調エアが、誘導加熱によっても加温されるようになっている。なお、後述するように、誘導加熱用コイルＣは、車両駆動用の交流モータ１が三相交流モータとされていることに対応させてコイルＣ１、Ｃ２、Ｃ３の３本設けられているが、図３では、この３本のコイルＣ１〜Ｃ３をまとめて代表的にコイルＣとして示してある。勿論、３本の誘導加熱用コイルＣ１〜Ｃ３は、例えばケーシング４０の長手方向に直列に配設する等、ケーシング４０への配設態様は適宜選択できるものである。また、誘導加熱用コイルＣは、ケーシング４０の外周に巻回する場合に限らず、ケーシング４０の底部に配設する等によっても誘導加熱を行うことができる（誘導加熱用コイルＣから発生される磁力線の影響する範囲にケーシング４０が位置すればよい）。
【００２０】
図４は、３相交流モータ１の電磁コイルＵ，Ｖ，Ｗと、誘導加熱用コイルＣ１〜Ｃ３と、変換器としてのＤＣ−ＡＣコンバータ１１との接続例を示すものである。ＤＣ−ＡＣコンバータ１１は、高電圧バッテリ１０の＋側と−側とに接続される互いに並列な３本の結線５１，５２，５３を有する。結線５１には、入力側スイッチング素子Ｔｒ１１と出力側スイッチング素子Ｔｒ１２とが直列に接続されると共に、該スイッチング素子Ｔｒ１１とＴｒ１２との間において誘導加熱用コイルＣ１が接続されている。結線５２には、入力側スイッチング素子Ｔｒ２１と出力側スイッチング素子Ｔｒ２２とが直列に接続されると共に、該スイッチング素子Ｔｒ２１とＴｒ２２との間において誘導加熱用コイルＣ２が接続されている。結線５３には、入力側スイッチング素子Ｔｒ３１と出力側スイッチング素子Ｔｒ３２とが直列に接続されると共に、該スイッチング素子Ｔｒ３１とＴｒ３２との間において誘導加熱用コイルＣ３が接続されている。
【００２１】
交流モータ１の３つの電磁コイルが符合Ｕ、ＶあるいはＷで示される。電磁コイルＵは、その一端が中性点αに接続される一方、その他端が、結線６１を介してスイッチング素子Ｔｒ１１と誘導加熱用コイルＣ１との間において結線５１に接続されている。電磁コイルＷは、その一端が中性点αに接続される一方、その他端が、結線６２を介してスイッチング素子Ｔｒ２１と誘導加熱用コイルＣ２との間において結線５２に接続されている。電磁コイルＶは、その一端が中性点αに接続される一方、その他端が、結線６３を介してスイッチング素子Ｔｒ３１と誘導加熱用コイルＣ３との間において結線５３に接続されている。
【００２２】
交流モータ１を回転（車両前進方向の回転）させるには、６つのスイッチング素子Ｔｒ１１〜Ｔｒ３２のうち２つのスイッチング素子を、例えば図４から図５、図６，図７，図８，図９のように順次ＯＮすることにより行われ、図９の後は図４の状態に戻る（逆転はその逆の順にＯＮすればよい）。すなわち、まず、図４のようにスイッチング素子Ｔｒ１１とＴｒ３２をＯＮすることによって、電流が、電磁コイルＵ、Ｖを通って誘導加熱用コイルＣ３を流れることになる。図５は、スイッチング素子Ｔｒ１１とＴｒ２２とをＯＮしたものであり、電流は、電磁コイルＵ、Ｗを通って誘導加熱用コイルＣ２を流れる。図６は、スイッチング素子Ｔｒ２２とＴｒ３１とをＯＮしたものであり、電流は、電磁コイルＶ、Ｗを通って誘導加熱用コイルＣ２を流れる。図７は、スイッチング素子Ｔｒ３１とＴｒ１２とをＯＮしたものであり、電流は、電磁コイルＶ、Ｕを通って誘導加熱用コイルＣ１を流れる。図８は、スイッチング素子Ｔｒ２１とＴｒ１２とをＯＮしたものであり、電流は、電磁コイルＷ、Ｕを通って誘導加熱用コイルＣ１を流れる。図９は、スイッチング素子Ｔｒ２１とＴｒ３２とをＯＮしたものであり、電流は、電磁コイルＷ、Ｖを通って誘導加熱用コイルＣ３を流れる。
【００２３】
図４〜図９に示すようなスイッチング素子Ｔｒ１１〜Ｔｒ３２のＯＮ、ＯＦＦの切換えによって、電磁コイルＵ、Ｖ、Ｗが順次励磁されることによって、交流モータ１の回転子（ロータで図示略）が回転駆動されることになる。そして、交流モータ１を回転駆動する際には（電磁コイルＵ、Ｖ、Ｗに通電されるときには）、３つの誘導加熱用コイルＣ１〜Ｃ３が１つずつ順次通電されることになり、誘導加熱によってヒータコアＨＣが加熱されることになる。図１７には、上述した図４〜図９でのＯＮ、ＯＦＦの切換をまとめて示してあり、図１７中、符合「１」で示す状態が、対応するスイッチング素子がＯＮされるときである。勿論、各スイッチング素子Ｔｒ１１〜Ｔｒ３２のＯＮ、ＯＦＦを例えばデューティ制御する等によって、電流値や周波数が変更されることになる（交流モータ１の回転数や発生トルクの変更）。
【００２４】
図１０〜図１２は、交流モータ１をサーボロック状態としてその回転駆動を停止させつつ、誘導加熱用コイルＣ１〜Ｃ３に通電させる状態が示される。実施形態では、サーボロック状態を、全ての電磁コイルＵ、Ｖ、Ｗに通電することによって達成するようになっている。すなわち、図１０では、スイッチング素子Ｔｒ１１，Ｔｒ２２，、Ｔｒ３２をＯＮした場合であり、２つの誘導加熱用コイルＣ２とＣ３とが通電されることになる。図１１では、スイッチング素子Ｔｒ２１、Ｔｒ１２，Ｔｒ３２をＯＮした場合であり、２つの誘導加熱用コイルＣ１とＣ３とが通電される。図１２は、スイッチング素子Ｔｒ３１，Ｔｒ１２，Ｔｒ２２をＯＮした場合であり、２つの誘導加熱用コイルＣ１とＣ２とが通電される。なお、サーボロック状態を得るには、図１０〜図１２に示す他、回転子の位置に応じて図４〜図９に示すような通電態様を適宜切換えて、交流モータ１の回転子が回転駆動されないようにしてもよい。
【００２５】
図１３〜図１５は、交流モータ１の電磁コイルＵ、Ｖ、Ｗに対して通電することなく、誘導加熱用コイルＣ１〜Ｃ３に通電させる態様が示される。すなわち、図１３は、Ｔｒ１１とＴｒ１２とがＯＮされた場合であり、誘導加熱用コイルＣ１が通電される。図１４は、Ｔｒ２１とＴｒ２２とがＯＮされた場合であり、誘導加熱用コイルＣ２が通電される。図１５は、Ｔｒ３１とＴｒ３２とがＯＮされた場合であり、誘導加熱用コイルＣ３が通電される。この図１３〜図１５に示すような態様は、車両停止時に、交流モータ１（の電磁コイルＵ、Ｖ、Ｗ）への通電を行うことなく、誘導加熱を得る場合に好適な態様である。なお、２つのスイッチング素子Ｔｒ１１とＴｒ１２，Ｔｒ２１とＴｒ２２あるいはＴｒ３１とＴｒ３２とを同時にＯＮしても、その間に誘導加熱用コイルＣ１、Ｃ２あるいはＣ３が接続されているので、＋側と−側とで短絡を生じることはない。
【００２６】
図１３においては、２つのスイッチング素子Ｔｒ１１とＴｒ１２とは、交流モータ１を回転駆動する場合には同時にＯＮとされない関係となっている。図１４においては、２つのスイッチング素子Ｔｒ２１とＴｒ２２とは、交流モータ１を回転駆動する場合には同時にＯＮとされない関係となっている。図１５においては、２つのスイッチング素子Ｔｒ３１とＴｒ３２とは、交流モータ１を回転駆動する場合には同時にＯＮとされない関係となっている。つまり、特許請求の範囲において、結線５１、５２、５３がそれぞれ前記１の結線に対応し、結線６１，６２，６３が第２の結線に対応している。
【００２７】
図１６は、交流モータ１を回転駆動するための通電を利用して誘導加熱用コイルＣ１〜Ｃ３に順次通電させる態様（図１６実線で示す電流の流れ）と、図１３〜図１５に示す通電態様でもって誘導加熱用コイルＣ１〜Ｃ３に順次通電させる態様（図１６破線で示す電流の流れ）とを合わせて行うようにした場合の一例を示すものである。この図１６は、図４での交流モータ１への通電態様に加えて、図１３に示す通電態様を付加したものであり、２つの誘導加熱用コイルＣ１とＣ３とが同時に通電されることになる。２つの誘導加熱用コイルに同時に通電させるには、この他、スイッチング素子Ｔｒ２１がＯＮされているときは、スイッチング素子Ｔｒ２２をＯＮすればよく、スイッチング素子Ｔｒ３１がＯＮされているときは、スイッチング素子Ｔｒ３２をＯＮすればよい。図１７には、２つの誘導加熱用コイルを同時に通電させる場合にＯＮするスイッチング素子を、「△」印によって示してある（交流モータ１を回転駆動させる場合には、△印のスイッチング素子をＯＮすることは不要である）。
【００２８】
図１８は、誘導加熱用コイルＣ１〜Ｃ３を利用して、ヒータコアＨＣを加熱制御するための制御例を示すフローチャートであり、以下このフローチャートについて説明する。なお、以下の説明で、Ｑはステップを示す。まずＱ１において、イグニッションスイッチＳ８の作動状況が読み込まれ、次いでＱ２において、イグニッションスイッチＳ８がＯＮであるか否かが判別される。このＱ２の判別でＮＯのときはＱ１に戻る。
【００２９】
上記Ｑ２の判別でＹＥＳのときは、Ｑ３において、スイッチＳ７によって設定された設定温度が読み込まれる。この後、Ｑ４において、速度指令値が０であるか否かが判別される。このＱ３の判別は、車両が停止状態であるか否かの判別であって、例えば、アクセル開度が０で、かつ車速センサ（図示略）で検出される車速が０のときに、Ｑ４の判別でＹＥＳとなる。Ｑ４の判別でＮＯのときは、走行中であり、交流モータ１を駆動するときである（図４〜図９に示すような通電態様を順次行う制御の実行）。このときは、Ｑ５において、車両の運転状態（例えば車速やアクセル開度に応じた要求トルク）から、交流モータ１の目標回転数および目標発生トルクが演算される。この後、Ｑ６において、Ｑ５での演算結果を満足するような交流電流の電流値および周波数でもって交流モータ１が回転駆動される。
【００３０】
上記Ｑ７の後は、Ｑ８において、設定温度に応じてエアミックスダンパ３０の開度が調整される。次いで、Ｑ９において、設定温度とセンサＳ３で検出された実際の室内温度との差に基づいて、エアミックスダンパ３０の開度が補正される。
【００３１】
上記Ｑ９の後は、Ｑ１０において、誘導加熱による発熱量が十分であるか否かが判別される。このＱ１０での判別は、例えば、エンジン冷却水温度が設定温度と実際の温度との差に対して低すぎる場合で、かつＱ７での誘導加熱による発熱量が十分でない場合に、発熱量が不十分であるとされる。このＱ１０の判別でＹＥＳのときは、そのままＱ１へリターンされる。また、Ｑ１０の判別でＮＯのときは、誘導加熱による発熱量を増大させるべく、Ｑ１１の処理が行われる。すなわち、Ｑ１１では、２つの誘導加熱用コイルを同時に通電させる態様とされる（例えば図１６に示すような通電態様で、図１７に示す「１」と「△」とで示すスイッチング素子を図１７に示す順でＯＮする）。この場合、スイッチング素子Ｔｒ１１とＴｒ１２、Ｔｒ２１とＴｒ２２、Ｔｒ３１とＴｒ３２の３組のうちいずれか単独で、または交互に作動させることができる。また、スイッチング素子Ｔｒ１２、Ｔｒ２２、Ｔｒ３２をデューティ制御することによって発熱量を微妙に調整することができる。
【００３２】
前記Ｑ４の判別でＹＥＳのときは、車両が停止中のときである。このときは、Ｑ１２において、交流モータ１に通電することなく、誘導加熱用コイルＣ１〜Ｃ３のみに通電させる態様とされる（図１３〜図１５の態様）。この場合、Ｑ１１での処理と同様に、スイッチング素子Ｔｒ１１とＴｒ１２、Ｔｒ２１とＴｒ２２、Ｔｒ３１とＴｒ３２の３組のうちいずれか単独で、または交互に作動させることができる。また、スイッチング素子Ｔｒ１２、Ｔｒ２２、Ｔｒ３２をデューティ制御することによって発熱量を微妙に調整することができる。
【００３３】
上記Ｑ１２の後は、Ｑ１３〜Ｑ１６の処理を経るが、Ｑ１３〜Ｑ１５は、前述したＱ８〜Ｑ１０と同じである。また、Ｑ１５の判別でＮＯのときに実行されるＱ１６は、Ｑ１１に対応しているが、車両停車中であることから、交流モータ１がサーボロック状態とされる（例えば図１０〜図１２で示す通電態様で、同時に２つの誘導加熱用コイルに通電させる）。
【００３４】
図１９〜図２１は、本発明の第２の実施形態を示すものである。本実施形態では、誘導加熱用コイルＣ１〜Ｃ３への通電を任意に遮断できるようにしたものである。このため、各誘導加熱用コイルＣ１〜Ｃ３を、例えばリレースイッチＲＳ１、ＲＳ２あるいはＲＳ３を介して対応する結線５１、５２あるいは５３に接続するようにしてある。また、誘導加熱用コイルＣ１、Ｃ２あるいはＣ３とリレースイッチＲＳ１、ＲＳ２あるいはＲＳ３をバイパスさせて、２つのスイッチング素子Ｔｒ１１とＴｒ１２、Ｔｒ２１とＴｒ２２あるいはＴｒ３１とＴｒ３２とを断続するためのリレースイッチＲＳ１１，ＲＳ１２あるいはＲＳ１３が設けられている。上記リレースイッチＲＳ１〜ＲＳ３を全てＯＦＦしたときは、誘導加熱用コイルＣ１〜Ｃ３への通電が遮断されて、誘導加熱が実行されないことになる。そのため、誘導加熱によるヒータコアＨＣの加熱が不要なときには、誘導加熱コイルＣ１〜Ｃ３への通電を遮断することができるので、誘導加熱コイルＣ１〜Ｃ３による不要な電力消費を抑制することができる。リレースイッチＲＳ１〜ＲＳ３を全てＯＦＦすると共にリレースイッチＲＳ１１〜ＲＳ１３を全てＯＮしておくことにより、誘導加熱を停止しつつ交流モータ１の回転駆動を行うことができる。
【００３５】
図２０，図２１は、図１９の回路を用いた誘導加熱に関する制御例を示すフローチャートであり、以下このフローチャートについて説明する。なお、図２０，図２１のフローチャートは、図１８のフローチャートに対応しているため、以下の説明では、主として図１８のフローチャートと相違する部分について説明する。また、電磁コイルＵ、Ｖ、Ｗ用のリレースイッチＲＳ１１〜ＲＳ１３は、イグニッションスイッチＳ８がＯＮされているときは全てＯＮされ、イグニッションスイッチＳ８がＯＦＦされたときにＯＦＦされるようになっている。
【００３６】
まず、Ｑ２１〜Ｑ２３の処理が行われるが、この処理は図１８のＱ１〜Ｑ３に対応している。Ｑ２３の後は、Ｑ２４において、ヒータコアＨＣを誘導加熱する必要性があるか否かが判別される。このＱ２４での判別は、例えば、エンジン冷却水温度が設定温度に対して十分に高いときや、室内温度が設定温度以上のときに誘導加熱が不要であり、それ以外のときに誘導加熱が必要であるとされる。このＱ２４の判別でＹＥＳのときは、Ｑ２５において、誘導加熱用のリレースイッチＲＳ１〜ＲＳ３が全てＯＮされる。このＱ２５の後は、Ｑ２６以降の処理が行われるが、Ｑ２６〜Ｑ３３は、図１８のＱ４〜Ｑ１１と同じであり、またＱ３４〜Ｑ３８は、図１８のＱ１２〜Ｑ１６と同じである。
【００３７】
前記Ｑ２４の判別でＮＯのときは、図２１のＱ４１において、誘導加熱用のリレースイッチＲＳ１〜ＲＳ３が全てＯＦＦされる。この後、Ｑ４２〜Ｑ４４の処理が行われるが、Ｑ４２〜Ｑ４４は、図１８のＱ５，Ｑ６と同じである（図２０のＱ２７，Ｑ２８とも同じ）。このＱ４１〜Ｑ４４の処理の後は、図２０のＱ２１へリターンされる。
【００３８】
以上実施形態について説明したが、本発明は、実施形態に限定されるものではなく、特許請求の範囲に記載された範囲において適宜の変更が可能であり、例えば次のような場合をも含むものである。エンジン１２によって車両を駆動するようにしてもよい（例えば走行状態等に応じてエンジン１２と交流モータ１との両方による駆動と、交流モータ１のみによる駆動等とを切換える）。エンジン１２を有しない車両であってもよい。誘導加熱される被加熱部材としては、実施形態に示すものに限らず、例えばエンジン１２の排気通路に設けられた排気ガス浄化触媒であってもよく、この場合、排気ガス浄化触媒を早期に活性化温度にまで昇温させることができるようになる。また、本発明の誘導加熱方式によれば、誘導加熱用コイルＣ１〜Ｃ３を排気通路の外部に配置することができるので、排気ガス浄化触媒を暖めるヒータを排気通路内部に配設する場合に比べて、排気通路の抵抗増大を避ける上でも好ましいものとなる。誘導加熱される被加熱部材としては、その他にも、例えばシート（シート暖房用の加熱用部材）、室内装備品としての電気ポット（内の加熱用部材）等、適宜選択できるものである。勿論、本発明の目的は、明記されたものに限らず、実質的に好ましいあるいは利点として表現されたものを提供することをも暗黙的に含むものである。
【図面の簡単な説明】
【００３９】
【図１】本発明が適用された車両の一例を示す全体系統図。
【図２】空調システムの一例を示す図。
【図３】誘導加熱されるヒータコア部分を示す要部斜視図。
【図４】交流モータと誘導加熱用コイルとＤＣ−ＡＣコンバータとの接続例を示すと共に、交流モータを回転駆動させるための通電態様を示す図。
【図５】交流モータを回転駆動させるために通電態様が変化された状態を示す図。
【図６】交流モータを回転駆動させるために通電態様が変化された状態を示す図。
【図７】交流モータを回転駆動させるために通電態様が変化された状態を示す図。
【図８】交流モータを回転駆動させるために通電態様が変化された状態を示す図。
【図９】交流モータを回転駆動させるために通電態様が変化された状態を示す図。
【図１０】交流モータをサーボロック状態とするための通電例を示す図。
【図１１】交流モータをサーボロック状態とするための通電例を示す図。
【図１２】交流モータをサーボロック状態とするための通電例を示す図。
【図１３】交流モータへの通電を停止しつつ誘導加熱用コイルへ通電している状態を示す図。
【図１４】交流モータへの通電を停止しつつ誘導加熱用コイルへ通電している状態を示す図。
【図１５】交流モータへの通電を停止しつつ誘導加熱用コイルへ通電している状態を示す図。
【図１６】２つの誘導加熱用コイルへ同時に通電している状態の一例を示す図。
【図１７】交流モータ駆動のために実行される複数のスイッチング素子のＯＮ状態の変化を示すと共に、付加的に誘導加熱用コイルへ通電する場合の複数のスイッチング素子のＯＮ状態の変化を示す図。
【図１８】誘導加熱のための制御例を示すフローチャート。
【図１９】本発明の第２の実施形態を示すもので、図４に対応した図。
【図２０】第２の実施形態における誘導加熱の制御例を示すフローチャート。
【図２１】第２の実施形態における誘導加熱の制御例を示すフローチャート。
【符号の説明】
【００４０】
１：交流モータ
１０：高電圧バッテリ（蓄電装置）
１１：ＤＣ−ＡＣコンバータ（変換器）
１２：エンジン
１３：発電機
５１〜５３：第１の結線
６１〜６３：第２の結線
ＶＣ：自動車（車両）
ＨＣ：ヒータコア
ＣＵ：コントローラ
Ｃ（Ｃ１〜Ｃ３）：誘導加熱用コイル
Ｔｒ１１〜Ｔｒ３２：スイッチング素子
Ｕ、Ｖ、Ｗ：交流モータの電磁コイル
ＲＳ１〜ＲＳ３：誘導加熱用のリレースイッチ
【図１】
0004867937.tif 000002
【図２】
0004867937.tif 000003
【図３】
0004867937.tif 000004
【図４】
0004867937.tif 000005
【図５】
0004867937.tif 000006
【図６】
0004867937.tif 000007
【図７】
0004867937.tif 000008
【図８】
0004867937.tif 000009
【図９】
0004867937.tif 000010
【図１０】
0004867937.tif 000011
【図１１】
0004867937.tif 000012
【図１２】
0004867937.tif 000013
【図１３】
0004867937.tif 000014
【図１４】
0004867937.tif 000015
【図１５】
0004867937.tif 000016
【図１６】
0004867937.tif 000017
【図１７】
0004867937.tif 000018
【図１８】
0004867937.tif 000019
【図１９】
0004867937.tif 000020
【図２０】
0004867937.tif 000021
【図２１】
0004867937.tif 000022